(57)【要約】【課題】  この発明は、視聴者に不快感を与えることなく、画面の焼き付き現象を防止できる映像表示機器を提供することを目的とする。【解決手段】  映像表示機器において、テレビ放送受信中にチャンネルが切替えられたときに、表示映像の表示位置を移動させる手段を備えている。また、入力映像信号の切替えが行われたときに、表示映像の表示位置を移動させる手段を設けてもよい。さらに、電源オン時に、表示映像の表示位置を移動させる手段を設けてもよい。【選択図】  図１
2006033187.tif 000002
【特許請求の範囲】
【請求項１】
テレビ放送受信中にチャンネルが切替えられたときに、表示映像の表示位置を移動させる手段を備えていることを特徴とする映像表示機器。
【請求項２】
入力映像信号の切替えが行われたときに、表示映像の表示位置を移動させる手段を備えていることを特徴とする請求項１に記載の映像表示機器。
【請求項３】
電源オン時に、表示映像の表示位置を移動させる手段を備えていることを特徴とする請求項１乃至２に記載の映像表示機器。
【発明の詳細な説明】
【技術分野】
【０００１】
この発明は、ＰＤＰパネル、液晶パネル、有機ＥＬパネル、ＣＲＴ等の映像表示機器に関する。
【背景技術】
【０００２】
映像表示機器の画面焼き付き防止方法としては、特開平１０−１６１５８０号公報に開示された方法がある。この方法は、映像信号の同期信号のタイミングを用いて、所定のアルゴリズムで、ある一定期間毎に映像表示位置を数〜数十ピクセル、上下左右に移動させるものである。
【０００３】
画面の焼き付き現象は、画面上に明暗（輝度差）のある映像が長時間連続で固定表示された時、明るく表示されたピクセルと、その周辺で暗く表示されたピクセルとの間で、各蛍光体の発光特性（劣化特性）が、連続表示される時間経過とともに、徐々に異なってくることにより、発光輝度等の差が生じてくることが主な要因となって起こる現象である。      
【０００４】
特に、画面上の同じ位置に、時計表示やテロップ表示、字幕表示、放送局表示、１６：９横長映像表示機器に４：３映像を表示する等のウインドウ表示等がされているピクセルとその周辺の隣接するピクセルとの間で、ピクセル自体の発光輝度や色度ｘ，ｙに差が生じてきて、その結果、画面全体で映像を見た時に、ピクセル間に僅かな発光差（約０．５％以上の発光差が確認できる）が画面上に残ることがあり、一般的にこのような現象を画面の焼き付き現象と呼んでいる。
【０００５】
上述した従来の画面焼き付き防止方法では、一定期間毎に表示映像の表示位置を移動させることで、明暗のあるピクセル間の位置が変化するので、明暗部の発光特性（劣化特性）の差は、移動させない場合に比べて緩和されるので、画面の焼き付きを防止できる。
【０００６】
しかしながら、視聴者の意思または操作に関係なく、ある一定期間毎に表示映像位置を移動させるため、視聴中に画面の映像表示位置が移動した場合、視聴者に不快感を与えることが多いという問題がある。
【特許文献１】特開平１０−１６１５８０号公報
【発明の開示】
【発明が解決しようとする課題】
【０００７】
この発明は、視聴者に不快感を与えることなく、画面の焼き付き現象を防止できる映像表示機器を提供することを目的とする。
【課題を解決するための手段】
【０００８】
請求項１に記載の発明は、テレビ放送受信中にチャンネルが切替えられたときに、表示映像の表示位置を移動させる手段を備えていることを特徴とする。
【０００９】
請求項２に記載の発明は、請求項１に記載の発明において、入力映像信号の切替えが行われたときに、表示映像の表示位置を移動させる手段を備えていることを特徴とする。
【００１０】
請求項３に記載の発明は、請求項１乃至２に記載の発明において、電源オン時に、表示映像の表示位置を移動させる手段を備えていることを特徴とする。
【発明の効果】
【００１１】
本発明によれば、視聴者に不快感を与えることなく、画面の焼き付き現象を防止できるようになる。
【発明を実施するための最良の形態】
【００１２】
以下、図面を参照して、この発明の実施例について説明する。
【実施例１】
【００１３】
図１は、映像表示機器の構成を示している。
【００１４】
テレビチューナ３０によって得られる映像信号、および外部機器から入力された映像信号は、入力信号切替回路２９に送られる。入力信号切替回路２９によって選択された映像信号は、映像信号処理回路２８によって所定の処理が施された後、駆動回路２７を介して映像表示パネル２６に送られる。
【００１５】
映像表示機器内の各部は、マイコン３７によって制御される。マイコン３７は、映像表示位置等を記憶するための不揮発性メモリ（映像表示位置情報メモリ）９を備えている。マイコン３７には、前面操作部３４、電源スイッチ３５およびリモコン受光回路３８が接続されている。リモコン送信機３９からのリモコン信号は、リモコン受光回路３８を介してマイコン３７に入力される。なお、符号３６は、映像表示機器内の各部に電源を供給するための電源回路である。
【００１６】
図２は、映像表示位置を変更するための処理手順を示している。
【００１７】
電源がオンされると、つまり、電源スイッチ３５が手動操作によってオンされたり、リモコン送信機３９によって電源オン操作が行われると（ステップＳ１）、マイコン３７は映像信号処理回路２８を制御することによって、映像表示をミュート（黒表示）させる（ステップＳ２）。
【００１８】
次に、マイコン３７は映像表示位置情報メモリ９から、現在の入力信号の種類に対応した映像表示位置情報Ｐｘを読み出し（ステップＳ３）、読み出した映像表示位置情報Ｐｘに基づいて、映像表示位置をシフトさせるように映像信号処理回路２８を制御する（ステップＳ４）。この処理の詳細については、後述する。
【００１９】
マイコン３７は、映像表示位置シフト後の映像表示位置情報Ｐｘを、映像表示位置情報メモリ９に書き込む（ステップＳ５）。これにより、映像表示位置情報メモリ９内の映像表示位置情報Ｐｘが更新される。
【００２０】
この後、マイコン３７は映像信号処理回路２８を制御することによって、映像表示ミュートを解除する（ステップＳ６）。これにより、映像が表示される。
【００２１】
映像が表示されている状態において、チャンネルが切替えられるか（ステップＳ７でＹＥＳ）または入力信号が切り換えられると（ステップＳ８でＹＥＳ）、マイコン３７は映像信号処理回路２８を制御することによって、映像表示をミュート（黒表示）させる（ステップＳ１０）。マイコン３７は、映像表示位置情報メモリ９から現在の入力信号の種類に対応した映像表示位置情報Ｐｘを読み出し（ステップＳ１１）、読み出した映像表示位置情報Ｐｘに基づいて、映像表示位置をシフトさせるように映像信号処理回路２８を制御する（ステップＳ１２）。マイコン３７は、映像表示位置シフト後の映像表示位置情報Ｐｘを、映像表示位置情報メモリ９に書き込む（ステップＳ１３）。これにより、映像表示位置情報メモリ９内の映像表示位置情報Ｐｘが更新される。
【００２２】
この後、マイコン３７は映像信号処理回路２８を制御することによって、映像表示ミュートを解除する（ステップＳ１４）。これにより、映像が表示される。そして、ステップＳ７に戻る。
【００２３】
映像が表示されている状態において、電源がオフされると、つまり、電源スイッチ３５が手動操作によってオフされたり、リモコン送信機３９によって電源オフ操作が行われると（ステップＳ９でＹＥＳ）、今回の処理を終了する。
【００２４】
図２のステップＳ４、Ｓ１２で行われる映像表示位置のシフト処理について、図３を参照して説明する。
【００２５】
図３に示すように、映像信号処理回路２８内には、入力映像からの映像切り出し等を行うスケーリングＩＣ（Scaling IC) ５５と、スケーリングＩＣ５５によって得られた映像信号をパネル信号に変換するパネル信号変換部５６とが設けられている。
【００２６】
スケーリングＩＣ５５には、工場出荷時において、次のような初期設定が行われている。
【００２７】
（１）使用パネルサイズ（ＶＧＡ、Ｗ−ＶＧＡ，ＸＧＡ，Ｗ−ＸＧＡ）の選択設定
（２）入力信号の種類毎の切り出し設定
（ａ）基準切り出し位置の設定：Ｐ０（Ｈ０，Ｖ０）
（ｂ）切り出しサイズの設定：（Ｈｗ，Ｖｗ）
【００２８】
これらの設定内容は、映像表示位置情報メモリ９に記憶される。さらに、映像表示位置情報メモリ９には、入力信号の種類毎に現在の切り出し位置を特定するための情報（映像表示位置情報Ｐｘ（ｘ＝０，１，２，３））が記憶される。上記初期設定が行われた際にはＰｘ＝Ｐ０となる。なお、映像表示位置情報Ｐｘは、図２のステップＳ５、Ｓ１３において、更新される。
【００２９】
この実施例では、映像表示位置の移動パターンとして、図４に示すように４種類のパターンが用意されている。ユーザは、４種類の移動パターンから所望のパターンを選択設定できるようになっている。また、ユーザは、映像表示位置の移動量に関する値を設定できるようになっている。具体的には、ユーザは、以下の設定を行うことができる。
【００３０】
（１）移動画素数の設定：Ｍ
（２）移動方向の選択１：ＣＬＷ（反時計回り）  ｏｒ  ＣＬＬ（時計回り）
（３）移動方向の選択２：ＴＩＬＴ（斜め）  ｏｒ  ＣＲＡＮＫ（直角）
【００３１】
ユーザによって設定された内容（Ｍ，選択１，選択２）は、映像表示位置情報メモリ９に記憶される。なお、ユーザによる設定が行われていない場合には、デフォルト値が映像表示位置情報メモリ９に記憶されている。
【００３２】
図２のステップＳ４、Ｓ１２では、マイコン３７は、現在の入力信号の種類に対応する現在の映像表示位置情報Ｐｘ（映像表示位置情報メモリ９に記憶されている現在の入力信号の種類に対応する映像表示位置情報Ｐｘ）に基づいて、移動先の映像表示位置を決定する。具体的には、現在の映像表示位置情報ＰｘがＰ０であれば移動先の映像表示位置をＰ１に、現在の映像表示位置情報ＰｘがＰ１であれば移動先の映像表示位置をＰ２に、現在の映像表示位置情報ＰｘがＰ２であれば移動先の映像表示位置をＰ３に、現在の映像表示位置情報ＰｘがＰ３であれば移動先の映像表示位置をＰ０に決定する。
【００３３】
そして、映像表示位置情報メモリ９に記憶されている上記設定値（Ｍ，選択１，選択２）と、図４の該当する移動パターンにおける移動先の位置の計算式に基づいて、移動先の映像表示位置での切り出し位置を算出して、スケーリングＩＣ（Scaling IC) ５５に設定する。
【００３４】
スケーリングＩＣ（Scaling IC) ５５は、マイコン３７によって設定された切り出し位置に基づいて、入力映像を切り出す。
【図面の簡単な説明】
【００３５】
【図１】映像表示機器の構成を示すブロック図である。
【図２】映像表示位置を変更するための処理手順を示すフローチャートである。
【図３】主として映像信号処理回路２８内の構成を示すブロック図である。
【図４】映像表示位置の移動パターンおよび移動先の位置の計算式を示す表である。
【符号の説明】
【００３６】
９  映像表示位置情報メモリ
２６  映像表示パネル
２７  駆動回路
２８  映像信号処理回路
２９  入力信号切替回路
３７  マイコン
【図１】
2006033187.tif 000003
【図２】
2006033187.tif 000004
【図３】
2006033187.tif 000005
【図４】
2006033187.tif 000006